(57)【要約】【課題】装填された記録媒体ごとに、エラー発生率の高くなる外周記録を自動的に抑えることで、記録時のエラー発生率を極力抑える。【解決手段】システムコントローラ１０は、光ディスク１が装填されたとき、光ディスク１から固有情報を読み取り、個々の光ディスクに割り振られている固有情報に対応してそれぞれ最大記録時間が登録されている時間テーブルを参照して、固有情報に対応する最大記録時間を取得し、その取得した最大記録時間を、装填されている光ディスク１の最大記録可能時間に設定して、記録を開始する。【選択図】図１
2008130143.tif 000002
【特許請求の範囲】
【請求項１】
装填された記録媒体に情報を記録する記録制御手段を備えた情報記録装置において、
個々の記録媒体に割り振られている固有情報であるメーカー名に対応してそれぞれ最大記録時間が登録されている時間テーブルと、確実記録キーとを備えており、
記録媒体が装填され、かつ前記確実記録キーが操作されたとき、前記記録制御手段は、当該記録媒体から前記メーカー名を読み取り、前記時間テーブルを参照して前記メーカー名に対応する最大記録時間を取得し、その取得した最大記録時間を装填されている前記記録媒体の最大記録可能時間として設定する一方、記録後のファイナライズに失敗した場合に、当該記録媒体への記録が設定された最大記録可能時間の近傍まで記録されたか否かを判断し、近傍まで記録されている場合には、当該記録媒体のメーカー名に対応させてエラー回数をカウントして記憶するとともに、記憶しているエラー回数が予め設定された一定回数を超えた場合には、当該記録媒体のメーカー名に対応する前記時間テーブルの最大記録時間を所定時間だけ短くするように最大記録時間の書き換えを行うことを特徴とする情報記録装置。
【請求項２】
装填された記録媒体に情報を記録する記録制御手段を備えた情報記録装置において、
個々の記録媒体に割り振られている固有情報に対応してそれぞれ最大記録時間が登録されている時間テーブルを備えており、
記録媒体が装填されたとき、前記記録制御手段は、当該記録媒体から前記固有情報を読み取り、前記時間テーブルを参照して前記固有情報に対応する最大記録時間を取得し、その取得した最大記録時間を装填されている前記記録媒体の最大記録可能時間として設定することを特徴とする情報記録装置。
【請求項３】
確実記録キーを備えており、
前記記録制御手段は、前記確実記録キーが操作されたとき、前記記録媒体の最大記録可能時間の設定を行うことを特徴とする請求項２に記載の情報記録装置。
【請求項４】
前記記録制御手段は、装填されている記録媒体への情報の記録に失敗した場合には、当該記録媒体の固有情報に対応する前記時間テーブルの最大記録時間を所定時間だけ短くするように最大記録時間の書き換えを行うことを特徴とする請求項２または請求項３に記載の情報記録装置。
【請求項５】
前記記録制御手段は、装填されている記録媒体への情報の記録に失敗した場合に、当該記録媒体への記録が設定された最大記録可能時間の近傍まで記録されたか否かを判断し、近傍まで記録されている場合には、当該記録媒体の固有情報に対応する前記時間テーブルの最大記録時間を所定時間だけ短くするように最大記録時間の書き換えを行うことを特徴とする請求項２または請求項３に記載の情報記録装置。
【請求項６】
前記記録制御手段は、装填されている記録媒体への情報の記録に失敗した場合に、当該記録媒体への記録が設定された最大記録可能時間の近傍まで記録されたか否かを判断し、近傍まで記録されている場合には、当該記録媒体の固有情報に対応させてエラー回数をカウントして記憶するとともに、記憶しているエラー回数が予め設定された一定回数を超えた場合には、当該記録媒体の固有情報に対応する前記時間テーブルの最大記録時間を所定時間だけ短くするように最大記録時間の書き換えを行うことを特徴とする請求項２または請求項３に記載の情報記録装置。
【請求項７】
前記記録制御手段は、記録後のファイナライズに失敗した場合に、装填されている記録媒体への情報の記録に失敗したと判断することを特徴とする請求項４ないし請求項６のいずれかに記載の情報記録装置。
【請求項８】
前記固有情報がメーカー名を含むことを特徴とする請求項２ないし請求項６のいずれかに記載の情報記録装置。
【発明の詳細な説明】
【技術分野】
【０００１】
本発明は、装填された記録媒体に情報を記録する記録制御手段を備えた情報記録装置に係り、より詳細には、装填された記録媒体の情報記録時のエラー発生率を抑えた情報記録装置に関する。
【背景技術】
【０００２】
記録媒体であるＤＶＤ等の光ディスクは、１度だけ書き込める第１のタイプ（Ｒタイプ）と、何度でも消去と書き換えが可能な第２のタイプ（ＲＷタイプ）の２種類のタイプがあるが、特に第１のタイプでは、書き込みに失敗すると、その光ディスクは２度と使用することができない。そのため、書き込み品質を向上させて、より確実に情報が記録できるように工夫する必要がある。
【０００３】
このような工夫の一つとして、例えば特許文献１に記載の映像録画装置は、編集処理のデータの保存用に割り当てる記録領域上の第１のサイズを指定する手段と、ライトワンスメディアの記録領域の残量から第１のサイズを差し引いて録画用に割り当てる第２のサイズを算出する手段とを有し、第２のサイズを記録可能なサイズの上限として録画を実施する手段と、第１のサイズを下限として編集処理を実施する手段とを備えている。
【０００４】
また、特許文献２に記載の光ディスク装置は、ユーザが、段階的な使用率の表示の中から、希望の使用率を選択して設定し、その後、録画動作が終了した時点で、装填された光ディスクについての録画済み情報量の録画可能情報量に対する割合を算出し、算出した実際の使用率と、設定した使用率との比較を行い、実際の使用率が設定使用率を超えている場合に、自動ファイナライズ処理を開始させるようになっている。
【０００５】
また、特許文献３に記載の情報記録装置は、装填されている光ディスクの空き容量を検出して記憶部に記憶するとともに、ユーザによって設定された警告を発する基準となる空き容量を記憶部に記憶し、記憶部に記憶したこれら検出空き容量と基準空き容量とを比較し、検出空き容量が基準空き容量以下となっている場合には、残量不足を示す警告メッセージを表示するようになっている。
【特許文献１】特開２００６−１０７６２４号公報
【特許文献２】特開２００６−６５９４４号公報
【特許文献３】特開２００５−１０８２８２号公報
【発明の開示】
【発明が解決しようとする課題】
【０００６】
上記各特許文献１〜３によれば、予め設定されている記録媒体の記録容量を有効活用しつつ、記録エラーの発生等を防止することができる。しかし、これらの技術はいずれも、記録媒体の記録容量が最初から確定していることが前提となっている。すなわち、一般のＤＶＤメディアでは、ラベルで推奨されている４．８Ｇがそのメディアの記録容量となっている。そして、上記各特許文献１〜３記載のものでは、このような予め設定されている記録容量を元にして、その後の処理を開始している。
【０００７】
一方、ＤＶＤ等の記録媒体は、例えばメーカーによっても品質が異なり、また、同じメーカーでも、製造している製品の種類によって品質が異なる場合がある。従って、同じラベルで推奨されている４．８Ｇであっても、実際にエラー無く記録できる実質的な領域は、少なくともメーカーによって異なるものである。
【０００８】
すなわち、記録媒体自体の品質を考慮して、その記録媒体の最大記録可能時間を設定しないと、上記特許文献１〜３のような処理を行っても、記録エラーが発生する可能性がある。
【０００９】
本発明はこのような記録媒体自体の品質差に着目して創案されたもので、その目的は、装填された記録媒体ごとに、エラー発生率の高くなる外周記録を自動的に抑えることで、記録時のエラー発生率を極力抑えることのできる情報記録装置を提供することにある。
【課題を解決するための手段】
【００１０】
上記目的を達成するため、本発明の情報記録装置は、装填された記録媒体に情報を記録する記録制御手段を備えた情報記録装置において、個々の記録媒体に割り振られている固有情報（例えば、メーカー名等）に対応してそれぞれ最大記録時間が登録されている時間テーブルを備えており、記録媒体が装填されたとき、前記記録制御手段は、当該記録媒体から前記固有情報を読み取り、前記時間テーブルを参照して前記固有情報に対応する最大記録時間を取得し、その取得した最大記録時間を装填されている前記記録媒体の最大記録可能時間として設定することを特徴としている。
【００１１】
ＤＶＤ等の記録媒体は、メーカーによって品質が異なる。従って、ラベルで推奨されている４．８Ｇであっても、実際にエラー無く記録できる実質的な記録領域は、メーカーによって異なる。従って、時間テーブルには、個々の記録媒体に割り振られている固有情報であるメーカー名に対応してそれぞれ最大記録時間が登録されている。例えば、Ａ社は１時間５０分、Ｂ社は１時間４０分、といった具合である。この最大記録時間は実験等により予め設定しておく。このように、装填された記録媒体ごとに最大記録時間を設定することで、エラー発生率が高くなる外周記録を自動的に抑え、ファイナライズ等の失敗を事前に防止することが可能となる。また、記録媒体に割り振られている固有情報を用いて最適な最大記録可能時間を設定できるので、安価な記録媒体でも最大限の領域を使用することができる。
【００１２】
この場合、本発明では、リモコン及び本体パネルに確実記録キーを設けておき、前記記録制御手段は、前記確実記録キーが操作されたとき、前記記録媒体の最大記録可能時間の設定を行うように構成してもよい。すなわち、メーカーに合わせた記録を行うか否かをユーザが自分の意思で決定できるようにしておく。従って、ユーザが確実記録キーを操作しないで記録を開始したときには、記録制御手段は、従来通り、ラベルで推奨されている記録容量に基づいたデフォルト値の最大記録時間（例えば、２時間等）に従って、最終書き込みアドレスを設定すればよい。
【００１３】
また、本発明では、前記記録制御手段は、装填されている記録媒体への情報の記録に失敗した場合（例えば、ファイナライズに失敗した場合）には、当該記録媒体の固有情報に対応する前記時間テーブルの最大記録時間を所定時間だけ短くするように最大記録時間の書き換えを行う構成としてもよい。例えば、時間テーブルの任意の記録媒体に対応する最大記録時間が１時間５０分に設定されている場合において、その最大記録時間を最終書き込みアドレスに設定して記録を行った結果、記録に失敗した場合には、最大記録時間の最後の方である外周記録領域の品質が悪いと判断できるので、この場合には、その外周記録領域への記録を防止するために、それまでの最大記録時間から所定時間（例えば、５分等）だけ短くした時間を最大記録時間として書き換える。具体的には、時間テーブルに記録されている該当する記録媒体（例えば、Ａ社）の最大記録時間が１時間５０分であった場合には、これを１時間４５分に書き換える。これにより、以後、Ａ社の記録媒体が装填された場合には、記録制御手段は、この１時間４５分を最大記録時間として記録を行うことになる。
【００１４】
また、本発明では、前記記録制御手段は、装填されている記録媒体への情報の記録に失敗した場合（例えば、ファイナライズに失敗した場合）に、当該記録媒体への記録が設定された最大記録可能時間の近傍まで記録されたか否かを判断し、近傍まで記録されている場合には、当該記録媒体の固有情報に対応する前記時間テーブルの最大記録時間を所定時間だけ短くするように最大記録時間の書き換えを行う構成としてもよい。
【００１５】
すなわち、記録に失敗するケースは、必ずしも外周記録領域の品質が悪い場合にだけ起こるものではなく、例えば周辺の動作環境や記録媒体上にゴミや埃等が付着していた場合等によっても起こり得る。そして、このような原因で記録エラーが発生した場合には、最大記録時間を変更する必要は全くない。そのため、本発明では、装填されている記録媒体への情報の記録に失敗した場合に、当該記録媒体への記録が設定された最大記録可能時間の近傍まで記録されたか否かを判断することとしている。そして、最大記録可能時間の近傍まで記録されていて記録エラーが発生したのであれば、外周記録領域の品質低下が原因であると推察できるので、この場合にのみ時間テーブルの最大記録時間の変更（短縮）を行うようにしている。これにより、記録媒体の最大記録時間を不必要に短く設定してしまって、使用率を不必要に低下させてしまう、といった不具合は発生しない。
【００１６】
また、本発明では、前記記録制御手段は、装填されている記録媒体への情報の記録に失敗した場合（例えば、ファイナライズに失敗した場合）に、当該記録媒体への記録が設定された最大記録可能時間の近傍まで記録されたか否かを判断し、近傍まで記録されている場合には、当該記録媒体の固有情報に対応させてエラー回数をカウントして記憶するとともに、記憶しているエラー回数が予め設定された一定回数を超えた場合には、当該記録媒体の固有情報に対応する前記時間テーブルの最大記録時間を所定時間だけ短くするように最大記録時間の書き換えを行う構成としてもよい。
【００１７】
上記したように、記録に失敗するケースは、必ずしも外周記録領域の品質が悪い場合にだけ起こるものではなく、例えば周辺の動作環境や記録媒体上にゴミや埃等が付着していた場合等によっても起こり得る。そして、このような原因で記録エラーが発生した場合には、最大記録時間を変更する必要は全くない。そのため、本発明では、同じ固有情報を有する記録媒体に対して記録を行った場合に、その記録の失敗の有無をカウントしておき、そのカウント回数が内部に設定されている一定回数を超えたとき、当該記録媒体の固有情報に対応する前記時間テーブルの最大記録時間を所定時間（５分等）だけ短くするように最大記録時間の書き換えを行うようにしている。これにより、記録媒体の最大記録時間を不必要に短く設定してしまって、使用率を不必要に低下させてしまう、といった不具合は発生しない。
【発明の効果】
【００１８】
本発明の情報記録装置によれば、装填された記録媒体ごとに最大記録時間を設定することで、エラー発生率が高くなる外周記録を自動的に抑え、ファイナライズ等の失敗を事前に防止することができる。また、記録媒体に割り振られている固有情報を用いて最適な最大記録可能時間を設定できるので、安価な記録媒体でも最大限の領域を使用しつつ、記録エラーの発生を極力抑えることが可能となる。これにより、１度だけ書き込み可能なタイプの記録媒体では不良ディスクの発生を減らすことができる。
【発明を実施するための最良の形態】
【００１９】
以下、本発明の実施の形態について、図面を参照して説明する。
【００２０】
図１は、本発明の情報記録装置であるＤＶＤレコーダのシステム構成を示している。
【００２１】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２２】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルのテレビジョン放送信号を受信するチューナ回路（ＢＳチューナ，ＣＳチューナ等）１６が接続されている。
【００２３】
システムコントローラ１０には、光ディスク１のパラメータやレーザパワーのパラメータを初め、当該光ディスク１に割り振られたメーカー名等の固有情報を格納しておくためのＥＥＰＲＯＭ１１が双方向に接続されているとともに、リモコン送信機１８からの赤外線信号を受信する受信部１４と装置本体前面に設けられたキー入力部１５とが接続されている。また、システムコントローラ１０には、装置本体前面に設けられたＬＣＤ等からなる表示パネル１３が接続されている。
【００２４】
また、ＥＥＰＲＯＭ１１には、図２に示す時間テーブルが格納されている。この時間テーブルは、個々の光ディスク１に割り振られている固有情報の中のメーカー名のコードと、そのメーカー名に対応した最適な最大記録時間とが登録されている。この例では、標準記録であるＳＰモードでの最大記録時間が例示されている。すなわち、通常は２時間のところ、Ａ社の光ディスク１の最大記録時間は１時間５０分、Ｂ社の光ディスク１の最大記録時間は１時間４０分、・・・、Ｅ社の光ディスク１の最大記録時間は１時間２０分、その他の光ディスク１の最大記録時間は１時間５５分となっている。
【００２５】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００２６】
システムコントローラ１０は、図示は省略しているがＣＰＵ、ＲＯＭ、ＲＡＭ等から構成されており、ファイナライズキーのキー操作により、装■されている光ディスク１のファイナライズ処理を実行する。この処理を実行するためのプログラムはＲＯＭに予め格納されており、システムコントローラ１０は、ファイナライズ処理の実行時にはＲＯＭから読み込んだプログラムをＲＡＭ上に展開して処理を実行する。
【００２７】
光ディスク１であるＤＶＤディスクには、データを１度だけ書き込めるＲタイプと、何度でも消去と書き換えが可能なＲＷタイプとがある。従って、システムコントローラ１０は、光ディスク１のタイプを判別する判別機能を備えており、装■されている光ディスク１のタイプに応じてファイナライズキーの操作によるファイナライズ処理の実行を制御するようになっている。
【００２８】
また、システムコントローラ１０は、任意の光ディスク１が装填されたとき、その光ディスク１から固有情報を読み取ってＥＥＰＲＯＭ１１に格納するとともに、その固有情報の中のメーカー名に基づき、時間テーブルを参照してそのメーカー名に対応する最大記録時間を取得し、その取得した最大記録時間を、装填されている光ディスク１の最大記録可能時間として設定するようになっている。この場合、本実施形態では、キー入力部１５及びリモコン送信機１８に確実録画キー１５ａ，１８ａがそれぞれ設けられており、システムコントローラ１０は、光ディスク１装填後、この確実録画キー１５ａ（または１８ａ）が操作されると、上記の最大記録可能時間の設定処理を実行するようになっている。すなわち、確実録画キー１５ａ（または１８ａ）が操作されないで例えばＳＰモードによる記録動作の開始が指示されたときには、システムコントローラ１０は、従来通り、ラベルで推奨されている記録容量に基づいたデフォルト値の最大記録時間（ＳＰモードで２時間）に従って、最終書き込みアドレスを設定することになる。
【００２９】
次に、システムコントローラ１０による光ディスク１ごとの最大記録可能時間の設定処理について、図３に示すフローチャートを参照して説明する。
【００３０】
任意の光ディスク１が装填されると、システムコントローラ１０は、キー入力部１５の確実録画キー１５ａまたはリモコン送信機１８の確実録画キー１８ａが操作されたか否かを確認する（ステップＳ１）。そして、何れかの確実録画キー１５ａまたは１８ａが操作された場合には、次に、装填された光ディスク１が記録できるメディアであるか否かを確認する（ステップＳ２）。その結果、記録できないメディア（例えば、ファイナライズを終了したＤＶＤ−Ｒ等）であった場合（ステップＳ２でＮｏと判断された場合）には、表示装置２１の画面もしくは表示パネル１３にエラーメッセージを表示する（ステップＳ３）。
【００３１】
一方、記録できるメディアであった場合（ステップＳ２でＹｅｓと判断された場合）には、装填時に光ディスク１から予め読み込んでＥＥＰＲＯＭ１１に格納しておいた固有情報から、メーカー名（メーカーコード）を取得し、この取得したメーカー名に基づき、時間テーブルを参照してそのメーカー名に対応する最大記録時間を取得する（ステップＳ４）。そして、その取得した最大記録時間を、装填されている光ディスク１の最大記録可能時間として設定する。すなわち、取得した最大記録時間分の記録が可能となるように、最終書き込みアドレスを設定変更する（ステップＳ５）。
【００３２】
例えば、装填されている光ディスク１のメーカー名がＡ社であった場合、最大記録時間は１時間５０分であるので、システムコントローラ１０は、それまでのデフォルト値として設定していた最大記録可能時間である２時間に対応した最終書き込みアドレスから、１時間５０分に対応した最終書き込みアドレスに設定変更する。
【００３３】
この後、記録を開始し、設定された最終書き込みアドレスまで情報の記録を行うと、記録動作を終了する。
【００３４】
このように、装填された光ディスク１ごとに最大記録可能時間を設定することで、エラー発生率が高くなる外周記録を自動的に抑えることができる。これにより、記録エラーの発生を事前に防止することができ、ファイナライズ等の失敗も事前に防止することが可能となる。また、光ディスク１に割り振られている固有情報を用いて最適な最大記録可能時間を設定できるので、安価な光ディスク１でも安定して記録できる最大限の領域を使用することができる。
【００３５】
次に、上記のようなシステムコントローラ１０による光ディスク１ごとの最大記録可能時間の設定処理において、図２に示す時間テーブルをより最適な最大記録時間に修正（変更）する処理について、具体的に実施例を挙げて説明する。
【実施例１】
【００３６】
本実施例１は、光ディスクへの記録に失敗した場合に時間テーブルの最大記録時間を修正（変更）する実施例である。以下、図４に示すフローチャートを参照して説明する。
【００３７】
システムコントローラ１０は、装填されている光ディスク１への情報の記録に失敗（例えば、ファイナライズに失敗）した場合（ステップＳ１１でＹｅｓと判断された場合）には、当該光ディスク１のメーカー名に対応する時間テーブルの最大記録時間を所定時間だけ短くするように、最大記録時間の書き換えを行う（ステップＳ１２）。具体的には、記録に失敗した光ディスク１の会社名が例えばＡ社であった場合、このＡ社の最大記録時間は１時間５０分であるので、これを所定時間である５分だけ短い１時間４５分に書き換える。これにより、以後、Ａ社の光ディスクが装填され、確実録画キー１５ａまたは１８ａが操作されて記録が開始された場合には、システムコントローラ１０は、この１時間４５分が最大記録可能時間となるように最終書き込みアドレスを設定して、記録を行うことになる。
【実施例２】
【００３８】
本実施例２は、光ディスクへの記録に失敗した場合に、一定条件の下で時間テーブルの最大記録時間を修正（変更）する実施例である。以下、図５に示すフローチャートを参照して説明する。
【００３９】
システムコントローラ１０は、装填されている光ディスク１への情報の記録に失敗（例えば、ファイナライズに失敗）した場合（ステップＳ２１でＹｅｓと判断された場合）には、その光ディスク１への記録が、ある一定以上の領域まで書き込んでいるか否かを判断する。具体的には、設定された最大記録可能時間の近傍まで記録されたか否かを判断する（ステップＳ２２）。その結果、最大記録可能時間の近傍まで記録されている場合（ステップＳ２２でＹｅｓと判断された場合）には、当該光ディスク１のメーカー名に対応する時間テーブルの最大記録時間を所定時間だけ短くするように、最大記録時間の書き換えを行う（ステップＳ２３）。具体的には、記録に失敗した光ディスク１の会社名が例えばＢ社であった場合、このＢ社の最大記録時間は１時間４０分であるので、これを所定時間である５分だけ短い１時間３５分に書き換える。これにより、以後、Ｂ社の光ディスクが装填され、確実録画キー１５ａまたは１８ａが操作されて記録が開始された場合には、システムコントローラ１０は、この１時間３５分が最大記録可能時間となるように最終書き込みアドレスを設定して、記録を行うことになる。
【００４０】
すなわち、記録に失敗するケースは、必ずしも外周記録領域の品質が悪い場合にだけ起こるものではなく、例えば周辺の動作環境や光ディスク１上にゴミや埃等が付着していた場合等によっても起こり得る。そして、このような原因で記録エラーが発生した場合には、最大記録時間を変更する必要は全くない。そのため、本実施例２では、装填されている光ディスク１への情報の記録に失敗した場合に、当該光ディスク１への記録が設定された最大記録可能時間の近傍まで記録されたか否かを判断することとしている。そして、最大記録可能時間の近傍まで記録されていて記録エラーが発生したのであれば、外周記録領域の品質低下が原因であると推察できるので、この場合にのみ時間テーブルの最大記録時間の書き換えを行うようにしている。これにより、光ディスクの最大記録時間を不必要に短く設定してしまって、その光ディスクの使用率を不必要に低下させてしまう、といった不具合は発生しない。
【実施例３】
【００４１】
本実施例３は、光ディスクへの記録に失敗した場合に、一定条件の下で時間テーブルの最大記録時間を修正（変更）する実施例であり、上記実施例２の変形実施例である。以下、図６に示すフローチャートを参照して説明する。ただし、本実施例３では、システムコントローラ１０は内部にカウンタ機能を備えているものとする。
【００４２】
システムコントローラ１０は、装填されている光ディスク１への情報の記録に失敗（例えば、ファイナライズに失敗）した場合（ステップＳ３１でＹｅｓと判断された場合）には、その光ディスク１への記録が、ある一定以上の領域まで書き込んだか否かを判断する。具体的には、設定された最大記録可能時間の近傍まで記録されたか否かを判断する（ステップＳ３２）。その結果、最大記録可能時間の近傍まで記録されている場合（ステップＳ３２でＹｅｓと判断された場合）には、当該光ディスク１の固有情報であるメーカー名に対応させてエラー回数をカウントして保存する（ステップＳ３３）。例えば、Ｂ社の光ディスクであった場合には、Ｂ社のエラー回数を＋１する。すなわち、それまでのエラー回数が０回であった場合には、これを１回とする。このエラー回数は、例えば図２に示す時間テーブルの最大記録時間の項目欄の横にエラー回数の項目欄を設け、この欄に各メーカーの光ディスクのエラー回数を保存するようにすればよい。
【００４３】
次に、システムコントローラ１０は、時間テーブルに保存したエラー回数が予め設定された一定回数（例えば、２回等）を超えたか否かを判断する（ステップＳ３４）。その結果、保存したエラー回数が一定回数を超えていなければ（ステップＳ３４でＮｏと判断されれば）、何もせずに処理を終了する。一方、保存したエラー回数が一定回数を超えた場合（ステップＳ３４でＹｅｓと判断された場合）には、当該光ディスクの固有情報であるメーカー名に対応する時間テーブルの最大記録時間を所定時間だけ短くするように、最大記録時間の書き換えを行う（ステップＳ３５）。具体的には、時間テーブルに保存されている例えばＢ社のエラー回数が３回であった場合には、一定回数の２回を超えることになる。そのため、この場合には、Ｂ社の最大記録時間が１時間４０分であるので、これを所定時間である５分だけ短い１時間３５分に書き換える。この後、システムコントローラ１０は、Ｂ社のエラー回数をクリアする（ステップＳ３６）。これにより、以後、Ｂ社の光ディスクが装填され、確実録画キー１５ａまたは１８ａが操作されて記録が開始された場合には、システムコントローラ１０は、この１時間３５分が最大記録可能時間となるように最終書き込みアドレスを設定して、記録を行うことになる。
【００４４】
上記したように、記録に失敗するケースは、必ずしも外周記録領域の品質が悪い場合にだけ起こるものではなく、例えば周辺の動作環境や光ディスク上にゴミや埃等が付着していた場合等によっても起こり得る。そして、このような原因で記録エラーが発生した場合には、最大記録時間を変更する必要は全くない。そのため、本実施例３では、同じ固有情報を有する光ディスクに対して記録を行った場合に、その記録の失敗の有無をカウントしておき、そのカウント回数が内部に設定されている一定回数を超えたとき、当該光ディスクの固有情報に対応する時間テーブルの最大記録時間を所定時間（５分等）だけ短くするように、最大記録時間の書き換えを行うようにしている。これにより、光ディスクの最大記録時間を不必要に短く設定してしまって、使用率を不必要に低下させてしまう、といった不具合は発生しない。
【００４５】
また、上記実施形態では、時間テーブルにメーカー名とこれに対応する最大記録時間とが格納されているが、固有情報に当該メーカーで製造される製品の種類情報（例えば、品質種別に関わる情報等）が含まれている場合には、この種類情報ごとに対応する最大記録時間を格納するようにしてもよい。例えば、Ａ社が製品種類としてａ１とａ２の２種類を製造している場合には、メーカー名Ａのａ１の光ディスクの最大記録時間が１時間５０分、メーカー名Ａのａ２の光ディスクの最大記録時間が１時間４５分といった具合に、メーカー名を含む製品の種類ごとに最大記録時間を設定してもよい。このように設定することで、光ディスクごとにより最適な最大記録時間を設定することが可能となる。
【図面の簡単な説明】
【００４６】
【図１】本発明の情報記録装置をＤＶＤレコーダに適用した場合のシステム構成図である。
【図２】時間テーブルの一例を示す説明図である。
【図３】システムコントローラによる光ディスクごとの最大記録可能時間の設定処理を示すフローチャートである。
【図４】光ディスクへの記録を失敗した場合に時間テーブルの最大記録時間を修正（変更）する実施例１の処理手順を示すフローチャートである。
【図５】光ディスクへの記録に失敗した場合に、一定条件の下で時間テーブルの最大記録時間を修正（変更）する実施例２の処理手順を示すフローチャートである。
【図６】光ディスクへの記録に失敗した場合に、一定条件の下で時間テーブルの最大記録時間を修正（変更）する実施例３の処理手順を示すフローチャートである。
【符号の説明】
【００４７】
１  光ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１５  キー入力部
１５ａ  確実録画キー
１６  チューナ回路
１８  リモコン送信機
１８ａ  確実録画キー
２１  表示装置
【図１】
2008130143.tif 000003
【図２】
2008130143.tif 000004
【図３】
2008130143.tif 000005
【図４】
2008130143.tif 000006
【図５】
2008130143.tif 000007
【図６】
2008130143.tif 000008